(57)【要約】【課題】デジタルカメラで撮像された患者の患部等の撮像画像と患者の電子カルテ等のファイルとの対応付けを自動的に対応付けること。【解決手段】ファイルサーバ装置は、所定のファイルにアクセスされたアクセス日時を記憶する。デジタルカメラで撮像された撮像画像の撮像日時と前記アクセス日時とを比較して関連性の有無を判別し、関連性があると判別された場合に前記ファイルと前記撮像画像とを対応付ける。【選択図】      図６
2009009501.tif 000002
【特許請求の範囲】
【請求項１】
デジタルカメラで撮像された撮像画像及びこの撮像画像の撮像日時を記憶する撮像画像記憶手段と、
ファイルを記憶するファイル記憶手段と、
前記ファイルにアクセスされたアクセス日時を記憶するアクセス日時記憶手段と、
前記アクセス日時記憶手段に記憶されたアクセス日時と前記撮像画像記憶手段に記憶された撮像日時を比較して、関連性の有無を判別する判別手段と、
この判別手段で関連性が有ると判別された前記撮像画像と、前記アクセス日時にアクセスされたファイルとの対応付けを設定する設定手段
を有することを特徴とするファイル管理装置。
【請求項２】
前記撮像画像と前記ファイルの対応付けの設定可否の確認メッセージを出力する出力手段を有し、
前記設定手段は、
前記出力手段により前記設定可能と確認された場合に対応付けることを特徴とする請求項１記載のファイル管理装置。
【請求項３】
前記判別手段にて前記アクセス日時と前記撮像日時に関連性が無いと判別された場合に、前記撮像日時近くにアクセスされたファイルの識別子一覧を表示する一覧表示手段
を有することを特徴とする請求項１記載のファイル管理装置。
【請求項４】
ファイルにアクセス中に前記デジタルカメラから撮像画像を受信した場合、前記設定手段は前記ファイルと前記撮像画像とを対応付けて設定する
ことを特徴とする請求項１記載のファイル管理装置。
【請求項５】
デジタルカメラに記憶される前記撮像画像と前記撮像日時は、前記設定手段により設定されることにより削除する制御を行う制御手段
を有することを特徴とする請求項１記載のファイル管理装置。
【請求項６】
ファイル管理装置のコンピュータを、
デジタルカメラで撮像された撮像画像及びこの撮像画像の撮像日時を記憶する撮像画像記憶手段、
ファイルを記憶するファイル記憶手段、
前記ファイルにアクセスされたアクセス日時を記憶するアクセス日時記憶手段、
前記アクセス日時記憶手段に記憶されたアクセス日時と前記撮像画像記憶手段に記憶された撮像日時を比較して、関連性の有無を判別する判別手段、
この判別手段で関連性が有ると判別された前記撮像画像と、前記アクセス日時にアクセスされたファイルとの対応付けを設定する設定手段
として機能させるためのプログラム。
【発明の詳細な説明】
【技術分野】
【０００１】
本発明は、デジタルカメラで撮像された撮像画像をファイルに対応付けて記憶するファイル管理装置及びプログラムに関する。
【背景技術】
【０００２】
近年、患者のカルテをコンピュータで管理する電子カルテシステムが普及してきている。この電子カルテシステムにはデジタルカメラが用いられるものもある。例えば、デジタルカメラを用い患者の患部等を撮像し、この撮像された患者の患部等の撮像画像を診断結果情報等と共に、その患者の電子カルテとして対応付けて記憶される（例えば、特許文献１参照）。
【特許文献１】特開平１０−９１７０３号公報
【発明の開示】
【発明が解決しようとする課題】
【０００３】
しかしながら、特許文献１に記載された発明のように、デジタルカメラで撮像された患者の患部等の撮像画像と患者の電子カルテとの対応付けはユーザによりなされる必要があり、自動的に対応付けることはできない。例えば、ユーザである医師が一日の診断を終えた後に、その日一日に撮像した患者の患部等の撮像画像を患者の電子カルテと対応付ける際に、デジタルカメラに記憶される撮像画像一枚一枚チェックをしながら電子カルテと対応付けるという作業が必要であり、この煩わしい作業をしなくてはならないという問題点があった。
【０００４】
本発明の課題は、デジタルカメラで撮像された患者の患部等の撮像画像と患者の電子カルテ等のファイルとを対応付ける作業負担を軽減することである。
【課題を解決するための手段】
【０００５】
請求項１に記載のファイル管理装置は、デジタルカメラで撮像された撮像画像及びこの撮像画像の撮像日時を記憶する撮像画像記憶手段と、ファイルを記憶するファイル記憶手段と、前記ファイルにアクセスされたアクセス日時を記憶するアクセス日時記憶手段と、前記アクセス日時記憶手段に記憶されたアクセス日時と前記撮像画像記憶手段に記憶された撮像日時を比較して、関連性の有無を判別する判別手段と、この判別手段で関連性が有ると判別された前記撮像画像と、前記アクセス日時にアクセスされたファイルとの対応付けを設定する設定手段を有することを特徴とする。
【０００６】
更に、コンピュータを上述した請求項１記載の発明に示した主要手段として機能させるためのプログラムを提供する（請求項６記載の発明）。
【０００７】
請求項２に記載の発明は、請求項１に記載のファイル管理装置において、前記撮像画像と前記ファイルの対応付けの設定可否の確認メッセージを出力する出力手段を有し、
前記設定手段は、前記出力手段により前記設定可能と確認された場合に対応付けることを特徴とする。
【０００８】
請求項３に記載の発明は、請求項１に記載のファイル管理装置において、前記判別手段にて前記アクセス日時と前記撮像日時に関連性が無いと判別された場合に、前記撮像日時近くにアクセスされたファイルの識別子一覧を表示する一覧表示手段を有することを特徴とする。
【０００９】
請求項４に記載の発明は、請求項１に記載のファイル管理装置において、ファイルにアクセス中に前記デジタルカメラから撮像画像を受信した場合、前記設定手段は前記ファイルと前記撮像画像とを対応付けて設定することを特徴とする。
【００１０】
請求項５に記載の発明は、請求項１に記載のファイル管理装置において、デジタルカメラに記憶される前記撮像画像と前記撮像日時は、前記設定手段により設定されることにより削除する制御を行う制御手段を有することを特徴とする。
【発明の効果】
【００１１】
本発明によれば、デジタルカメラで撮像された患者の患部等の撮像画像と患者の電子カルテ等のファイルとを自動的に対応付けることが可能になり、対応付ける作業負担が軽減される。
【発明を実施するための最良の形態】
【００１２】
以下、図面を参照して本発明の実施形態を説明する。
まず、本実施形態における構成を説明する。
【００１３】
図１に示す本発明の実施形態に係るファイルシステムは、電子カルテサーバ装置１とデジタルカメラ２から構成される。
【００１４】
電子カルテサーバ装置１は、図２に示すように、ＣＰＵ（Central Processing Unit）１０、入力部１１、メモリ１２、通信部１３、表示部１４、記憶部１５、計時部１６により構成され、各部はバスを介して接続される。
【００１５】
ＣＰＵ１０は、記憶部１５に記憶された電子カルテシステムといった本発明に係る制御プログラムを読み出してメモリ１２に展開し、各種の処理を実行する。
【００１６】
入力部１１は、マウス、キーボード等の入力デバイスを備え、入力デバイスによる操作信号をＣＰＵ１０に出力する。またメモリ１２は、ＣＰＵ１０により実行される制御プログラムをプログラム格納エリアに展開する。また、メモリ１２は、入力データ及び制御プログラムの実行時に生じる処理結果のデータを、ワークエリアに一時的に格納する。
【００１７】
通信部１３は、ＵＳＢ等のインターフェースによりデジタルカメラ２と接続される。そして表示部１４は、ＬＣＤ（Liquid Crystal Display）等のディスプレイを備え、ＣＰＵ１０から入力される表示制御信号に従って所要の表示処理を行う。
【００１８】
記憶部１５は、ＨＤＤ（Hard Disc Drive）等により構成され、ＣＰＵ１０により実行される制御プログラム及びこの制御プログラムの実行時に必要なデータを記憶する。この記憶部１５は、電子カルテ記憶部１（１５ａ）と、「電子カルテ（ファイル）」と「撮像画像」とを対応付けて記憶（設定）する電子カルテ記憶部２（１５ｂ）と、患者を診察する際に患者の電子カルテへの「アクセス日時」の具体例として、当該電子カルテがオープンされる「オープン時間」及びクローズされる「クローズ時間」が記憶される診察時間記憶部１５ｂを有する。なお計時部１６は「オープン時間」及び「クローズ時間」を計時する。
【００１９】
デジタルカメラ２は、図３に示すように、ＣＰＵ２０、操作部２１、表示部２２、カメラ撮像部２３、メモリ２４、記憶部２５、通信部２６、計時部２７により構成され、各部はバスを介して接続される。
【００２０】
操作部２１は、入力ボタン等を備え、入力ボタン等による操作信号をＣＰＵ２０に出力する。表示部２２は、ＬＣＤ（Liquid Crystal Display）等のディスプレイを備え、ＣＰＵ１０から入力される表示制御信号に従って所要の表示処理を行う。
【００２１】
撮像画像は、カメラ撮像部２３により撮像され、この撮像画像は記憶部２５に記憶される。またメモリ２４は、ＣＰＵ２０により実行される制御プログラムをプログラム格納エリアに展開する。
【００２２】
記憶部２５は、ＨＤＤ（Hard Disc Drive）等により構成され、ＣＰＵ２０により実行される制御プログラム及びこの制御プログラムの実行時に必要なデータを記憶する。この記憶部２５は、「撮像画像」とその撮像画像の「撮像日時」を記憶する撮像日時画像記憶部２５ａを有する。通信部２６は、ＵＳＢ等のインターフェースにより電子カルテサーバ装置１と接続され、記憶部２５に記憶される「撮像画像」と「撮像日時」は電子カルテサーバ装置１に送信される。なお計時部２７は、撮像画像の「撮像日時」を計時する。
【００２３】
図４に、電子カルテサーバ装置１の記憶部１５に記憶される電子カルテ記憶部１（１５ａ）のデータ構成を示す。電子カルテ記憶部１（１５ａ）は、図４に示すように、患者を識別するための「患者ＩＤ」と、「電子カルテ」が一対一に対応付けて記憶される。
【００２４】
図５に、電子カルテサーバ装置１の記憶部１５に記憶される電子カルテ記憶部２（１５ｂ）のデータ構成を示す。電子カルテ記憶部２（１５ｂ）は、図５に示すように、患者ごとの「電子カルテ（ファイル）」と、デジタルカメラ２から受信した「撮像画像」が対応付けて記憶される。また例えば、「電子カルテＡ」には「撮像画像ａａ」と「撮像画像ａｂ」が対応付けられているように、一つの電子カルテに複数の撮像画像が対応付けて記憶されることもあるし、「電子カルテＢ」のように対応付けられる撮像画像が無い場合もある。
【００２５】
図６に、電子カルテサーバ装置１の記憶部１５に記憶される診察時間記憶部１５ｃのデータ構成を示す。診察時間記憶部１５ｃは、図６に示すように、患者の「電子カルテ（ファイル）」と、この電子カルテがオープンされた「オープン時間」と、患者の電子カルテがクローズされた「クローズ時間」が記憶される。また例えば、「電子カルテＤ」は「オープン時間」が記憶され、「クローズ時間」が記憶されていない。この場合は、現在電子カルテシステム（ファイルシステム）では電子カルテＤが開かれていて閉じられていないということを意味している。
【００２６】
図７に、デジタルカメラ２の記憶部２５に記憶される撮像日時画像記憶部２５ａのデータ構成を示す。撮像日時画像記憶部２５ａは、図７に示すように、デジタルカメラ２で撮像した「撮像日時」と、「撮像画像」が対応付けられて記憶される。
【００２７】
次に、本実施形態における動作を説明する。
図８のフローチャートを参照して、電子カルテサーバ装置１のＣＰＵ１０の制御の下で実行される動作フローについて説明する。
【００２８】
まずステップＳ１にて、患者の電子カルテがオープンされたか否かが判別される。ここで患者の電子カルテがオープンされたと判別された場合（ステップＳ１；ＹＥＳ）、その患者の「電子カルテ」及びその電子カルテがオープンされた「オープン時間」を診察時間記憶部１５ｃに記憶する。その次は、その患者に対する診察結果等の入力が受け付けられる（ステップＳ３）。
【００２９】
ステップＳ３で入力された情報は、電子カルテ記憶部１（１５ａ）の「電子カルテ」に記憶される（ステップＳ４）。そしてこの電子カルテがオープンされている間に、この電子カルテサーバ装置１にデジタルカメラ２が接続されたか否かが判別される（ステップＳ５）。
【００３０】
デジタルカメラ２が接続されたと判別されない場合（ステップＳ５；ＮＯ）、患者の電子カルテがクローズされたと判別されるまで（ステップＳ６；ＹＥＳ）、ステップＳ３からステップＳ６処理を繰り返す（ステップＳ６；ＮＯ）。
【００３１】
ステップＳ６にて患者の電子カルテがクローズされたと判別された場合は（ステップＳ６；ＹＥＳ）、患者の電子カルテがクローズされた「クローズ時間」を診察時間記憶部１５ｂに記憶する（ステップＳ７）。そして次の患者の電子カルテがオープンされたか否かが判別され（ステップＳ１）、本動作フローは繰り返される。
【００３２】
ここで患者の電子カルテがオープンされている間、すなわち患者の電子カルテ（ファイル）にアクセス中に、デジタルカメラ２が電子カルテサーバ装置１に接続され、「撮像日時」及び「撮像画像」が受信されたと判別された場合（ステップＳ５；ＹＥＳ）、現在オープンされている電子カルテと対応する「撮像画像」が対応付けられる処理が行われる。具体的に、診察時間記憶部１５ｂに記憶されるデータのうち、「クローズ時間」が記憶されていない（ブランク）の患者の電子カルテに、その電子カルテがオープンされた「オープン時間」以降に撮像された「撮像画像」が有るか否かが判別され（ステップＳ８）、該当する「撮像画像」が有ると判別された場合（ステップＳ８；ＹＥＳ）、その「電子カルテ」にその「撮像画像」を対応付けて電子カルテ記憶部２に記憶する（ステップＳ９）。
【００３３】
ステップＳ９にて「電子カルテ」と「撮像画像」が対応付けて記憶されたため、すなわち対応付けが設定されることにより、デジタルカメラ２内の記憶部２５の撮像日時画像記憶部２５ａに記憶される該当する「撮像画像」等を消去する消去命令が、電子カルテサーバ装置１よりデジタルカメラ２に対し送信され（ステップＳ１０）、次いでデジタルカメラ２に処理の終了指示が送信される（ステップＳ１１）。
【００３４】
一方患者の電子カルテがオープンされていない場合（ステップＳ１；ＮＯ）であって、デジタルカメラ２が電子カルテサーバ装置１に接続され、デジタルカメラ２の記憶部２５の撮像日時画像記憶部２５ａに記憶される「撮像画像」等を受信した場合（ステップＳ１２；ＹＥＳ）、撮像日時画像記憶部２５ａに記憶される「撮像日時」及び「撮像画像」が１件ごとに読み込まれる（ステップＳ１３）。撮像日時画像記憶部２５ａに記憶される「撮像日時」及び「撮像画像」が全件読み込まれたと判断された場合は（ステップＳ１４；ＹＥＳ）、デジタルカメラ２に終了指示を送信し（ステップＳ２０）、本処理は終了する。
【００３５】
撮像日時画像記憶部２５ａに記憶される「撮像日時」及び「撮像画像」が全件読み込まれたと判断されない場合、すなわちデジタルカメラ２に記憶される「撮像画像」と「電子カルテ」との対応付けが全件終了していない場合は（ステップＳ１４；ＮＯ）、「撮像日時」が電子カルテサーバ装置１の記憶部１５の診察時間記憶部１５ｃに記憶される「オープン時間」と「クローズ時間」の間に開かれていた「電子カルテ」を検索する（ステップＳ１５）。
【００３６】
そこで検索された場合（ステップＳ１６；ＹＥＳ）、その「電子カルテ」と「撮像画像」を対応付けて記憶しても良いか否かをユーザに判断を求めるべくポップアップ等にて確認メッセージを表示部１４に表示し（ステップＳ１７）、ユーザから対応付けの許可を受付けた場合（ステップＳ１７；ＹＥＳ）は、その「電子カルテ」と「撮像画像」を対応付けて記憶する（ステップＳ１８）。また、ユーザから対応付けの許可を受付けなかった場合（ステップＳ１７；ＮＯ）は、この「撮像画像」の「撮像日時」に近い日時にオープンされていた電子カルテを「オープン時間」から検索し電子カルテの識別子を表示部１４にポップアップ等で表示を行い（ステップＳ２２）、ユーザに「撮像画像」の対応付けの判断を仰ぐ。ステップＳ１８にてその「電子カルテ」と「撮像画像」を対応付けて記憶した後は、デジタルカメラ２にその対応付けられた「撮像画像」及び「撮像日時」を消去する消去命令を送信する（ステップＳ１９）。そして、撮像日時画像記憶部２５ａの次のデータを読み込む（ステップＳ１３）。
【００３７】
なお検索されなかった場合（ステップＳ１６；ＮＯ）、すなわちファイルへのアクセス日時を示す「オープン時間」と「クローズ時間」と「撮像日時」に関連性が無いと判別された場合、該当する電子カルテが存在しなかった旨を表示部１４にポップアップ等で表示を行い（ステップＳ２１）、この「撮像画像」の「撮像日時」に近い日時にオープンされていた電子カルテを「オープン時間」から検索し電子カルテの識別子を表示部１４にポップアップ等で表示を行う（ステップＳ２２）。そこでユーザにより電子カルテの識別子が選択された場合（ステップＳ２３；ＹＥＳ）、選択された「電子カルテ」と「撮像画像」を対応付けて記憶する（ステップＳ１８）。一方選択されなかった場合（ステップＳ２３；ＮＯ）は、撮像日時画像記憶部２５ａの次のデータを読み込まれる（ステップＳ１３）。
【００３８】
次に図９のフローチャートを参照して、デジタルカメラ２のＣＰＵ２０の制御の下で実行される動作フローについて説明する。
【００３９】
ステップＣ１にて撮像画像が撮像されたか否かが判別され（ステップＣ１）、撮像されたと判別された場合は（ステップＣ１；ＹＥＳ）、「撮像画像」及び「撮像日時」がデジタルカメラ２の記憶部２５の撮像日時画像記憶部２５ａに記憶される（ステップＣ２）。
【００４０】
撮像されたと判別されない場合であって（ステップＣ１；ＮＯ）、電子カルテサーバ装置１に対するデータ送信であるか否かが判別され（ステップＣ３）、電子カルテサーバ装置１に対するデータ送信であると判別された場合（ステップＣ３；ＹＥＳ）、撮像日時画像記憶部２５ａに記憶される「撮像画像」及び「撮像日時」を電子カルテサーバ装置１に送信する（ステップＣ４）。
【００４１】
電子カルテサーバ装置１にて「電子カルテ」と「撮像画像」が対応づけられ、電子カルテサーバ装置１より対応づけられた「撮像画像」等の消去命令を受信した場合は（ステップＣ５；ＹＥＳ）、該当する「撮像画像」及び「撮像日時」は撮像日時画像記憶部２５ａから消去される。
【００４２】
また電子カルテサーバ装置１より対応づけられた「撮像画像」等の消去命令の受信でない場合であって（ステップＣ５；ＮＯ）、電子カルテサーバ装置１より終了指示を受信した場合は（ステップＣ７；ＹＥＳ）、本処理を終了し、電子カルテサーバ装置１より終了指示を受信しない場合は（ステップＣ７；ＮＯ）は、ステップＣ５に戻る。
【００４３】
これにより、デジタルカメラで撮像された患者の患部等の撮像画像と患者の電子カルテ等のファイルとを自動的に対応付けることが可能になる。このように、撮像画像とファイルが対応付けられているので、ファイルを開いた際には、当該ファイルと対応付けられた撮像画像が読み出される。
【００４４】
なお、本実施の形態では、ファイルにアクセスされたアクセス日時としてファイルの「オープン時間」及び「クローズ時間」としたが、ファイルが参照され更新される時間をも含む概念である。またこのアクセス時間はデータベースに記憶したが、ログファイル形式で記憶してもよい。また電子カルテサーバ装置１の計時部１６とデジタルカメラ２の計時部２７で計時される時間の同期がとられていることが必要であるが、電子カルテサーバ装置１とデジタルカメラ２の接続時に同期をとってもよく、計時部１６及び計時部１７は電波時計等のデバイスを用い同期を取ってもよい。
【００４５】
なお、前記実施形態において記載した電子カルテサーバ装置１、デジタルカメラ２の処理、すなわち図８乃至９のフローチャートに示す各処理は、何れもコンピュータが読み取り可能なプログラムとして、記憶部１５、記憶部２５に記憶されているが、その他に、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の記録媒体に記憶してもよく、更に、プログラムの一部若しくは全部をサーバ装置やクライアント装置に備えられた記録媒体に記憶し、ネットワークを介して受信して読み取る構成にしてもよい。
【００４６】
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、これらの構成要件が削除されたり組み合わされた構成が発明として抽出され得るものである。
【図面の簡単な説明】
【００４７】
【図１】本発明の実施形態に係る全体構成を示すブロック図。
【図２】電子カルテサーバ装置１のハードウエア構成図。
【図３】デジタルカメラ２のハードウエア構成図。
【図４】電子カルテサーバ装置１の記憶部に記憶された電子カルテ記憶部１のデータ構成を示す図。
【図５】電子カルテサーバ装置１の記憶部に記憶された電子カルテ記憶部２のデータ構成を示す図。
【図６】電子カルテサーバ装置１の記憶部に記憶された診察時間記憶部のデータ構成を示す図。
【図７】デジタルカメラ２の記憶部に記憶された撮像日時画像記憶部のデータ構成を示す図。
【図８】電子カルテサーバ装置１のＣＰＵの制御の下で実行される処理を示すフローチャート。
【図９】デジタルカメラ２のＣＰＵの制御の下で実行される処理を示すフローチャート。
【符号の説明】
【００４８】
１  電子カルテサーバ装置１
２  デジタルカメラ２
１０、２０  ＣＰＵ
１１  入力部
１２、２４  メモリ
１３、２６  通信部
１４、２２  表示部
１５、２５  記憶部
１５ａ  電子カルテ記憶部１
１５ｂ  電子カルテ記憶部２
１５ｃ  診察時間記憶部
２５ａ  撮像日時画像記憶部
１６、２７  計時部
２１  操作部
２３  カメラ撮像部
【図１】
2009009501.tif 000003
【図２】
2009009501.tif 000004
【図３】
2009009501.tif 000005
【図４】
2009009501.tif 000006
【図５】
2009009501.tif 000007
【図６】
2009009501.tif 000008
【図７】
2009009501.tif 000009
【図８】
2009009501.tif 000010
【図９】
2009009501.tif 000011